(57)【要約】【課題】  従来例の撮像装置では、非表示のメニュー項目を選択するには、表示ページを改ページ或いは所定項目数毎にスキップさせるための別個に設けられた操作部材を操作してから、所望の設定項目表示させていたので、操作部材が増えることになり、この増加した操作部材の収容スペースを確保するために撮像装置が大型化すると共に、操作が煩雑になる等の問題があった。【解決手段】  複数のメニュー項目をその性格に応じて複数分類すると共に、分類毎に順列に並べて表示手段に表示を行い、表示手段に表示されたメニューの中から１つの項目を選択可能な操作部材と、操作部材の押し操作の時間を計時する計時手段と、あらかじめ設定された所定値と計時手段により計時された時間とを比較する比較手段とを有し、比較手段の出力が、所定値未満の場合は、複数の設定項目を１項目ずつ切り替え、所定値以上の場合は、メニューの中から所定の設定項目が選択される。【選択図】        図３
2006109331.tif 000002
【特許請求の範囲】
【請求項１】
装置の各種機能に対応する複数の設定項目を表示する表示手段と、前記複数の設定項目をその性格に応じて複数分類すると共に分類毎に順列に並べて前記表示手段に表示を行い、前記表示手段に表示された前記複数の設定項目の中から１つの項目を選択可能な操作部材と、前記操作部材の押し操作の時間を計時する計時手段と、あらかじめ設定された所定値と前記計時手段により計時された時間とを比較する比較手段とを有し、前記比較手段の出力が、所定値未満の場合は、前記複数の設定項目を１項目ずつ切り替え、所定値以上の場合は、前記複数の設定項目の中から所定の設定項目が選択されることを特徴とする撮像装置。
【請求項２】
前記比較手段の出力が、所定値以上の場合は、現在選択されている設定項目の分類とは異なる分類の設定項目が選択されることを特徴とする請求項１記載の撮像装置。
【請求項３】
前記操作部材は、上下の各選択ボタンからなることを特徴とする請求項１記載の撮像装置。
【発明の詳細な説明】
【技術分野】
【０００１】
本発明は、複数のメニュー項目のうちから任意のメニュー項目を選択する際の操作性を改良した撮像装置に関するものである。
【背景技術】
【０００２】
従来の撮像装置は、表示用の液晶に複数のメニュー項目を表示し、そのメニュー項目の中から所望のメニュー項目を選択し設定操作を行う方法が一般的である。しかしながら、一口にカメラの設定といっても設定すべき項目が多く、一画面に表示することができるメニュー項目の数が限られ、表示用の液晶に全てのメニュー項目が表示しきれないため、非表示のメニュー項目を選択するには上或いは下のメニュー項目を順次選択するために設けられた操作部材を多数回操作して選択させていたが、操作が容易でないことから、表示ページを改ページ或いは所定項目数毎にスキップさせるための別個に設けられた操作部材を操作して所望の設定項目表示させてから、上或いは下のメニュー項目を順次選択するために設けられた操作部材を操作して選択させていた（特許文献１参照。）。
【特許文献１】特開２００１−３２６８３６号公報
【発明の開示】
【発明が解決しようとする課題】
【０００３】
しかしながら、上記従来例の撮像装置では、非表示のメニュー項目を選択するには、表示ページを改ページ或いは所定項目数毎にスキップさせるための別個に設けられた操作部材を操作して所望の設定項目表示させてから、上或いは下のメニュー項目を順次選択するために設けられた操作部材を操作して選択させていたので、操作部材が増えることになり、この増加した操作部材の収容スペースを確保するために撮像装置が大型化すると共に、操作が煩雑になる等の問題があった。
【０００４】
本発明の目的は、撮像装置を大型化することなく簡単な操作で所望のメニュー項目を選択することができる撮像装置を提供することにある。
【課題を解決するための手段】
【０００５】
上記目的を達成するため、請求項１記載の撮像装置は、装置の各種機能に対応する複数の設定項目を表示する表示手段と、前記複数の設定項目をその性格に応じて複数分類すると共に分類毎に順列に並べて前記表示手段に表示を行い、前記表示手段に表示された前記複数の設定項目の中から１つの項目を選択可能な操作部材と、前記操作部材の押し操作の時間を計時する計時手段と、あらかじめ設定された所定値と前記計時手段により計時された時間とを比較する比較手段とを有し、前記比較手段の出力が、所定値未満の場合は、前記複数の設定項目を１項目ずつ切り替え、所定値以上の場合は、前記複数の設定項目の中から所定の設定項目が選択されることを特徴とする。
【０００６】
上記目的を達成するため、請求項２記載の撮像装置は、前記比較手段の出力が、所定値以上の場合は、現在選択されている設定項目の分類とは異なる分類の設定項目が選択されることを特徴とする。
【０００７】
上記目的を達成するため、請求項３記載の撮像装置は、前記操作部材は、上下の各選択ボタンからなることを特徴とする。
【発明の効果】
【０００８】
本発明によれば、操作部材の押し操作の時間を計時して、押し操作の時間があらかじめ設定された所定値以上の場合は、複数のメニュー項目の中から所定のメニュー項目が選択されるため、従来法のように表示ページを改ページ或いは所定項目数毎にスキップさせるための別個に設けられた操作部材が不要となるので、撮像装置を大型化することなく簡単な操作で複数のメニュー項目の中から所望のメニュー項目を選択することが可能となる効果を奏する。
【発明を実施するための最良の形態】
【０００９】
以下、本発明の実施の形態を図を参照しながら詳しく説明する。
【実施例】
【００１０】
図１及び図２は、本発明の実施例である撮像装置を示している。図１は、本発明の実施例による撮像装置の構成を示す上面図、図２は同撮像装置の構成を示す背面図である。
【００１１】
図１及び図２において１はカメラ本体、２はファインダー観察用の接眼窓である。３はＡＥ（自動露出）ロックボタン、４はＡＦ（オートフォーカス）の測距点選択ボタンである。５はカメラ本体１を縦位置に構えた時に使用する縦位置用ＡＥ（自動露出）ロックボタンで、ＡＥロックボタン３と同一の機能を有する。同様に６もカメラ本体１を縦位置に構えた時に使用する縦位置用の測距点選択ボタンで、測距点選択ボタン４と同一の機能を有する。７は撮影操作を行うためのレリーズボタンであり、第１ストロークでＳＷ１がＯＮし、第２ストロークでＳＷ２がＯＮする構成となっている。
【００１２】
８はメイン電子ダイヤルで、他の操作ボタンと併用して、カメラに数値を入力したり、撮影モードを切り換えたりすることが可能となる。
【００１３】
図１及び図２において、９は撮影モード選択ボタン、１０はＡＦモード選択ボタン、１１は測光モード選択ボタンで、調光補正ボタンも兼ねている。
【００１４】
１２は撮影条件等を表示する外部表示機能を備えた液晶表示装置よりなる外部液晶表示装置である。
【００１５】
１３は外部液晶表示装置１２の裏面に設置されている不図示のバックライト照明装置をオン／オフするための表示パネル照明ボタンである。１４は露出の補正を行うための露出補正ボタンである。
【００１６】
図２において、１５は不図示のアイピースシャッターを駆動させるための、アイピースシャッターレバーである。このアイピースシャッターレバー１５を時計方向に回動させることにより、不図示のアイピースシャッターが接眼窓２を覆い接眼窓２からの光の入光を防ぐことができる。１６は視度の調整を行うための、視度補正ダイヤルである。この視度補正ダイヤル１６を回転させることにより、不図示の視度補正レンズが駆動し、視度調整を行うことができる。
【００１７】
１７，１８はメニューの項目移動に用いるＵＰボタン，ＤＯＷＮボタンであり、ボタンを押下することにより、それぞれ、上、下、といった方向を選択することができる。つまり、メニュー項目の移動をする際にはＵＰボタン１７を押せばメニューで上方向、ＤＯＷＮボタン１８を押せばメニューで下方向を選択することが可能である。
【００１８】
１９は本撮像装置の全ての動作を禁止するメインスイッチである。
【００１９】
２０は撮影された画像を表示する際や本撮像装置の設定状態などを表示するＬＣＤモニター装置（液晶表示器）である。尚、本実施例によるＬＣＤモニター装置２０は透過型であるため、ＬＣＤモニター装置２０の駆動だけでは、画像を視認することはできず、必ずその裏面には不図示のバックライト照明装置が必要である。
【００２０】
２２はカメラの初期設定を行う際にメニュー項目を選択するためのメニューボタンである。各メニュー項目を選択する時は、このメニューボタン２２を押して、ＵＰボタン１７、ＤＯＷＮボタン１８を押して希望のメニュー項目を選択する。その後、選択したメニュー項目の機能をオン／オフするためには、選択ボタン２３を押して、メニュー項目の選択同様にＵＰボタン１７、ＤＯＷＮボタン１８を押して希望の機能を選択する。２４は記録媒体内に記録されている画像ファイルを、ＬＣＤモニター装置２０に表示させるためのディスプレイボタンである。ディスプレイボタン２４を押して、ＵＰボタン１７、ＤＯＷＮボタン１８を押すことで、画像ファイルが順次ＬＣＤモニター装置２０に表示される。２５は記録媒体に記録されている画像ファイルを消去するための消去ボタンで、ディスプレイボタン２４とＵＰボタン１７、ＤＯＷＮボタン１８にて画像を選択後、消去ボタン２５を押すことで、画像の消去が可能である。２７はあらかじめカメラ内に記憶されているホワイトバランス調整値を選択するための、ホワイトバランス選択ボタンである。ホワイトバランス選択ボタン２７とＵＰボタン１７、ＤＯＷＮボタン１８にて希望のホワイトバランス調整値を選択する。
【００２１】
２８はカードスロットカバー開閉つまみで、このカードスロットカバー開閉つまみ２８を反時計方向に回すことで、カードスロットカバー２９が開放され、中に収納されている記録媒体の取り外しや装着を行うことが可能となる。
【００２２】
３０はアクセスランプで、装着されている記録媒体に撮影した画像ファイルを書き込む時や、記録媒体に書き込まれた画像ファイルを読み出す場合など記録媒体にアクセス中であるときは点滅を行う。
【００２３】
３１は、本撮像装置のグリップ部内に配置されているカードスロットである。３３はカードスロット３１に装着されている記録媒体を取り外すための、カード取り外しボタンである。３５は本撮像装置を駆動させるための電源電池である。
【００２４】
図３は、本実施の形態に係る撮像装置の内部構成を示すブロック図である。
【００２５】
本発明の実施例である撮像装置は、不図示のマウントを介してカメラ本体１に装着された撮影レンズ１５０を駆動するレンズ駆動装置１２２、メカニカルシャッター装置１２１、固体撮像素子１００、アナログ信号処理回路１０１、Ａ／Ｄ変換器１０２、メイン信号処理回路１０３、メモリ１０８、Ｄ／Ａ変換器１０９、外部映像表示装置１１０、圧縮／解凍回路１１２、メモリカード１１４、コントロール回路１２０及びＣＰＵ（中央演算処理回路）１１７等から構成されている。
【００２６】
１４３はメインスイッチ１９の操作によってオン／オフされるメインＳＷであり、本撮像装置の全ての動作の作動・非作動を設定する。
【００２７】
１２６はレリーズボタン７の第１ストロークによりオンするスイッチＳＷ１である。１２７は、レリーズボタン７の第２ストロークによりオンするスイッチＳＷ２である。スイッチＳＷ１（１２６）がオンされると測光制御・合焦制御が行なわれる、スイッチＳＷ２（１２７）がオンされるとレリーズ動作が開始される。
【００２８】
１２８はメイン電子ダイヤル８の回転に連動して信号を発生するメイン電子ダイヤルＳＷである。メイン電子ダイヤル８の回転で、例えば９０°位相のずれた２ビットの信号をスイッチセンス回路に送ることにより、回転方向と回転クリック数が検出される。この回転方向と回転クリック数を検出することで、他の操作釦と併用して、カメラに数値を入力したり、撮影モードを切り換えたりすることが可能となる。
【００２９】
１２９はＵＰボタン１７の押し操作に連動して信号を発生するＵＰボタンＳＷであり、１３０はＤＯＷＮボタン１８の押し操作に連動して信号を発生するＤＯＷＮボタンＳＷであり、ＣＰＵ１１７により各ボタンＳＷのオン時間、オン回数を計数している。１４７はＡＥロックボタン３（または縦位置用ＡＥロックボタン５）を押し込む事によってオンするＡＥ（自動露出）ロックＳＷである。１４８は測距点選択ボタン４（または縦位置用測距点選択ボタン６）を押し込む事によってオンするＡＦ（オートフォーカス）の測距点選択ＳＷである。１４９は撮影条件等を表示する外部表示機能を備えた不図示のＬＣＤからなる表示手段としての外部表示装置である。
【００３０】
１１０は撮影された画像等を表示するＬＣＤモニター装置２０からなる表示手段としての外部映像表示装置（液晶表示器）である。また、外部映像表示装置１１０には、映像の表示以外にメニューボタン２２、選択ボタン２３、ディスプレイボタン２４の操作に応じて対応するメニュー項目・選択項目・撮影画像等が表示されるようになっている。
【００３１】
１５０は被写体像を結像面に結像させる撮影レンズであり、カメラ本体１に着脱可能に構成されている。本図では簡略化してあるが、１枚または複数枚のレンズで構成され、単一の焦点距離（固定焦点）のレンズでもよいし、ズームレンズやステップズームレンズ等のように焦点距離可変のレンズでもよい。
【００３２】
１２２は被写体像を結像面に結像させるために撮影レンズ１５０を駆動するためのレンズ駆動装置である。１５１は、露出制御を行うための絞り羽根群である。１２３は絞り羽根群１５１を駆動するための絞り駆動装置である。
【００３３】
１４５は撮影モード選択ボタン９を押し込む事によってオンする撮影モード選択ＳＷ、１４４はＡＦモード選択ボタン１０を押し込むことによってオンするＡＦモード選択ＳＷ、１４６は測光モード選択ボタン１１を押し込むことによってオンする測光モード選択ＳＷであり、調光補正ボタン／ＳＷも兼ねている。例えば、撮影モード選択ボタン９を押してからメイン電子ダイヤル８を回転させると、Ｔｖ優先→Ａｖ優先→マニアル→プログラム→Ｔｖ優先→Ａｖ優先→マニアル→プログラム…と変更され、撮影者の意図するモードに設定することができる。また、メイン電子ダイヤル８を逆回転させた時は、プログラム→マニアル→Ａｖ優先→Ｔｖ優先→プログラム→…とモードは変更される。また、撮影モード選択ボタン９とメイン電子ダイヤル８によりＴｖ優先がモードとして設定されている場合には、メイン電子ダイヤル８を回転させることにより撮影者の希望するＴｖ値を設定することができる。また、撮影モード選択ボタン９とメイン電子ダイヤル８によりＡｖ優先がモードとして設定されている場合には、メイン電子ダイヤル８を回転させることにより撮影者の希望とするＡｖ値を設定することができる。
【００３４】
１３９は表示パネル照明ボタン１３を押し込むとオンする表示パネル照明ＳＷである。ＳＷがオンすると、外部表示装置１４９を裏面から照明し、表示内容が暗闇でも読み取り可能な状態にする。
【００３５】
１３８は露出補正ボタン１４を押し込むとオンする露出補正ＳＷである。露出補正ＳＷ１３８をオンさせた状態でメイン電子ダイヤル８を操作すると露出補正値を設定する事が出来る。１３５はカードスロットカバー２９の開閉に応じてオン／オフするスロットカバー開閉検出ＳＷである。メモリスロット１１３にはメモリカード１１４が着脱自在に取り付けられる。
【００３６】
１３６はスロットカード検出ＳＷで、メモリスロット１１３にメモリカード１１４が装着された時にオンする。
【００３７】
メニューＳＷ１３１は、メニューボタン２２を押し込むとオンするスイッチである。メニューボタン２２を押し込み、メニューＳＷ１３１をオンさせ、ＵＰボタン１７、ＤＯＷＮボタン１８を操作する事でメニュー項目を選択する事が出来る。この時のメニュー項目の表示は、外部映像表示装置１１０にて行なわれる。
【００３８】
ＳＥＬＥＣＴ（選択）ＳＷ１３２は、選択ボタン２３を押し込むとオンするスイッチである。選択ボタン２３を押し込みＳＥＬＥＣＴ（選択）ＳＷ１３２をオンさせ、ＵＰボタン１７、ＤＯＷＮボタン１８を操作する事で、メニューボタン２２で選択したメニュー項目の設定値を変更する事が出来る。この時、メニュー項目の設定値の表示は、外部映像表示装置１１０にて行なわれる。
【００３９】
ディスプレイＳＷ１３３は、ディスプレイボタン２４を押し込むとオンするスイッチである。ディスプレイボタン２４を押し込み、ディスプレイＳＷ１３３をオンさせると、外部映像表示装置１１０にメモリカード１１４に入っている画像を表示する。
【００４０】
消去ＳＷ１３４は、消去ボタン２５を押し込むとオンするスイッチである。外部映像表示装置１１０に画像が表示されている時に消去ボタン２５を押し込み、消去ＳＷ１３４をオンさせると表示されている画像データをメモリカード１１４上から削除する事が出来る。
【００４１】
１２４は測光装置で、不図示のフォーカシングスクリーンに結像された被写体像の輝度を、不図示の光学部材を介して測定するものであり、この測光装置１２４の出力信号に基づいて露光時の露出制御を行うようになっている。
【００４２】
１２５は焦点検出装置で、該焦点検出装置１２５の出力信号に基づいて撮影レンズ１５０のレンズ駆動装置１２２を制御し、結像レンズ１５０にて焦点調節を行う。
【００４３】
１２１はメカニカルシャッター装置で、被写体光束の結像面への入射時間を機械的に制御するものである。このメカニカルシャッター装置１２１は、ファインダー観察時には被写体光束を遮光し且つ撮影時にはレリーズ信号に応じて被写体光束の光路から退避して露光を開始させる先羽根群と、ファインダー観察時には被写体光束の光路から退避し且つ撮影時には先羽根群の走行（駆動）開始後に所定のタイミングで被写体光束を遮光する後羽根群とを有するフォーカルプレーンシャッターである。
【００４４】
１００は固体撮像素子で、撮影レンズ１５０により結像された被写体像を撮像して電気信号に変換するものである。この固体撮像素子１００としては、公知の２次元型撮像デバイスが用いられている。この撮像デバイスには、ＣＣＤ型、ＭＯＳ型、ＣＩＤ型等、様々な形態があり、いずれの形態の撮像デバイスを採用してもよいが、本実施の形態においては、光電変換素子（フォトセンサ）が２次元的に配置され、各フォトセンサで蓄積された信号電荷が垂直転送路及び水平転送路を介して出力されるインターライン型ＣＣＤ（電荷結合素子）の撮像素子が採用されている。また、固体撮像素子１００は、各フォトセンサに蓄積される電荷の蓄積時間（シャッター秒時）を制御する、いわゆる電子シャッター機能（電子シャッター手段）を有している。
【００４５】
撮影レンズ１５０を透過してきた被写体光束は、絞り駆動装置１２３によって駆動される絞り羽根群１５１とメカニカルシャッター装置１２１とでその光量が規制され、固体撮像素子１００上に投影結像される。このとき、固体撮像素子１００は、コントロール回路１２０を介して電荷の蓄積時間が制御される。固体撮像素子１００の受光面に結像された被写体像は、各フォトセンサで光の入射光量に応じた量の信号電荷に変換され、撮像出力信号として順次読み出された後、アナログ信号処理回路１０１に供給される。アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。アナログ信号処理回路１０１から出力された信号は、Ａ／Ｄ変換器１０２によってデジタル信号に変換された後、メイン信号処理回路１０３へ送られる。メイン信号処理回路１０３は、ゲイン調整回路１０４、オフセット回路１０５、ヒストグラム生成回路１０７及びデジタル信号処理回路１０６等からなる。Ａ／Ｄ変換器１０２から出力されたデータは、ゲイン調整回路１０４及びオフセット回路１０５を経由して、ヒストグラム生成回路１０７及びデジタル信号処理回路１０６へ送られる。ヒストグラム生成回路１０７は、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１７からコントロール回路１２０を介してゲイン及びオフセットが制御される。
【００４６】
このように、ゲインとオフセットのコントロールを経由した信号は、デジタル信号処理回路１０６に送られる。デジタル信号処理回路１０６は、輝度（Ｙ）信号生成回路及び色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。このメモリ１０８に記憶された画像データはデコードされた後、Ｄ／Ａ変換器１０９でアナログ信号に変換され、画像表示手段としての液晶モニター等の外部映像表示装置１１０に供給される。こうして、外部映像表示装置１１０には、固体撮像素子１００で捉えた映像が表示される。この外部映像表示装置１１０には、レリーズボタン７の操作によりオンするレリーズＳＷ２（１２７）によって発せられる撮影開始信号に基づいて撮影した静止画が表示される。
【００４７】
尚、Ｄ／Ａ変換器１０９でアナログ信号に変換された信号は、不図示のビデオ出力端子等から外部映像出力１１１として取り出すことができる。
【００４８】
また、撮影開始信号の入力に呼応して取得した本撮像の画像データは、メモリ１０８から圧縮／解凍回路１１２に導かれ、ここで所定の形式（例えば、ＪＰＥＧ）に従って圧縮処理された後、記録媒体としてのメモリカード１１４に記録される。
【００４９】
尚、メモリカード１１４に記録された画像データは、ＣＰＵ１１７を介して呼び出しが可能であり、該呼び出された画像データは、圧縮／解凍回路１１２で解凍再生処理された後、メモリ１０８、Ｄ／Ａ変換器１０９を介して外部映像表示装置１１０に出力され、または、不図示のビデオ信号出力端子等に供給され、他の外部機器に出力可能である。
【００５０】
ＣＰＵ１１７は、測光装置１２４、焦点検出装置１２５、コントロール回路１２０、ヒストグラム生成回路１０７、デジタル信号処理回路１０６、メモリ１０８及びメモリカード１１４、各ＳＷと接続されており、所定のアルゴリズムに従って露出値、撮影レンズ１５０の焦点位置等の各種演算を行い、自動露光制御、オートフォーカス、オートストロボ、オートホワイトバランス等の制御を総括的に管理する。また、ＣＰＵ１１７は、レリーズボタン７やメイン電子ダイヤル８、ＵＰボタン１７、ＤＯＷＮボタン１８、撮影モード選択ボタン９、ＡＦモード選択ボタン１０、測光モード選択ボタン１１等の操作部から入力される各種信号に基づいて該当する回路を制御する。
【００５１】
測光装置１２４の出力信号はＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行なわれる。
【００５２】
温度センサー１１９はカメラ本体１の温度を測定するセンサーである。ブザー１１８は、主に撮影時の警告などに用いられる音発生手段である。
【００５３】
１５２はメモリカード１１４へのアクセス状態を表示するためのＬＥＤであり、図２にて示されたアクセスランプ３０に配置されている。
【００５４】
コントロール回路１２０は、ＣＰＵ１１７から送られた露出制御値に基づいて固体撮像素子１００の駆動回路を制御し、電子シャッター制御モード時には、固体撮像素子１００の電荷蓄積時間を、また、メカニカルシャッター制御モード時には、メカニカルシャッター装置１２１の開閉タイミング等を制御すると共に、露光時に絞り駆動装置１２３を制御する。
【００５５】
次に、図４を用いて本実施の形態に係る撮像装置のメニュー項目について説明する。
【００５６】
図４は、本発明の実施例による撮像装置にて設定可能なメニュー項目の例を示した図であり、このメニューの例において、項目は、［記録画素数／圧縮率］、［赤目緩和機能］、［ＡＥＢ設定］、［ＩＳＯ感度］、［電子音］、［Ｍ−ＷＢ画像選択］、［現像パラメータ］、［画像プロテクト］、［画像回転］、［プリント指定］、［オートプレイ］、［オートパワーオフ］、［撮影画像の確認］、［撮影画像確認時間］、［液晶の明るさ］、［日付／時刻］、［ファイル番号］、［言語］、［ビデオ出力方式］、［ＣＦカード初期化］、［Ｃ．Ｆｎ］の２１項目であり、これらの項目が全て上下にならべられており、上から撮影に関する設定を行う撮影系メニューが７項目、撮影した画像の再生操作に関する設定を行う再生系メニューが４項目、カメラの基本機能に関する設定を行うセットアップ系メニューが１０項目と、各メニュー項目は設定の内容ごとに分類された構成としている。
【００５７】
次に、撮影者がメニューを用いて設定変更する時の表示、手順について図５及び図６を参照しながら説明する。尚、本実施例では、一画面に表示することのできるメニュー項目の数は８項目までである。
【００５８】
図５は、本実施の形態に係る撮像装置にて、撮影者がメニュー項目を順次設定変更する時の表示、手順についての説明図である。
【００５９】
撮影者が、メニューボタン２２を操作してメニューＳＷ１３１がオンすると図５（ａ）に示すように外部映像表示装置１１０にメニュー項目が表示される。図５（ａ）において、［記録画素数／圧縮率］が太枠線により表示されており、［記録画素数／圧縮率］が選択されていることを示している。ここで、ＤＯＷＮボタン１８の押し操作を１回行い、この時のＤＯＷＮボタンＳＷ１３０のオン時間が２秒未満の場合は、図５（ｂ）の表示に移行し［赤目緩和機能］が太枠線により表示され、更に同様の操作が行われると、図５（ｃ）の表示に移行し［ＡＥＢ設定］が太枠線により表示される。同様の操作を繰り返すことで、順次太枠線が下に移動する。また、ＵＰボタン１７を上記と同様の操作を行うことで順次太枠線が上に移動する。
【００６０】
次に、選択されたメニュー項目の設定内容を変更する際の手順について図５を用いて説明する。上述のメニュー設定操作にて、設定内容を変更したいメニュー項目を選択した後に選択ボタン２３を操作することで変更が可能となる。例えば、図５（ｂ）の［赤目緩和機能］が選択されている状態で、選択ボタン２３を操作してＳＥＬＥＣＴ（選択）ＳＷ１３２がオンすると、図５（ｄ）の表示に移行し、［赤目緩和機能］の「入」、「切」が選択可能となり、設定内容の左横に
2006109331.tif 000003
が表示され現在の設定状態が判る。撮影者が、［赤目緩和機能］を「入」→「切」に変更したいときは、ＤＯＷＮボタン１８の押し操作により変更され、図５（ｅ）のように表示され、選択ボタン２３の押し操作により設定内容変更が完了し、図５（ｆ）の表示に移行する。ここでは、［赤目緩和機能］の設定内容変更操作を英に説明したが、他のメニュー項目についても同様の操作により設定内容の変更が行える。
【００６１】
図６は、本実施の形態に係る撮像装置にて、撮影者がメニュー項目を設定内容毎に表示を切り換えて設定変更する時の表示、手順についての説明図である。
【００６２】
撮影者が、メニューボタン２２を操作してメニューＳＷ１３１がオンすると図６（ａ）に示すように外部映像表示装置１１０にメニュー項目が表示される。図６（ａ）において、［記録画素数／圧縮率］が太枠線により表示されており、［記録画素数／圧縮率］が選択されていることを示している。ここで、ＤＯＷＮボタン１８の押し操作を１回行い、この時のＤＯＷＮボタンＳＷ１３０のオン時間が２秒以上の場合は、図６（ｂ）の表示に移行し再生系メニューの先頭メニュー項目である［画像プロテクト］が太枠線により表示され、更に同様の操作が行われると、図６（ｃ）の表示に移行しセットアップ系メニューの先頭メニュー項目である［オートパワーオフ］が太枠線により表示される。また、図６（ａ）の状態からＵＰボタン１７を上記と同様の操作を行うと、図６（ｃ）の表示状態に移行する。
【００６３】
上記操作をより具体的に、メニュー項目［画像回転］を選択する場合を例に説明すると、撮影者が、メニューボタン２２を操作してメニューＳＷ１３１がオンすると図６（ａ）に示すように外部映像表示装置１１０にメニュー項目が表示される。ここで、ＤＯＷＮボタン１８の２秒以上の押し操作を１回行うことで、図６（ｂ）の表示に移行し再生系メニューの先頭メニュー項目である［画像プロテクト］が太枠線により表示される。次に、ＤＯＷＮボタン１８の２秒未満の押し操作を１回行うことで、図６（ｄ）の表示に移行し［画像回転］が太枠線により表示され選択が完了する。
【００６４】
上記の構成により、従来法に比べて操作部材を増やすことなく簡単にメニュー項目の選択を行うことができる。
【図面の簡単な説明】
【００６５】
【図１】本実施の形態に係る撮像装置の構成を示す上面図である。
【図２】本実施の形態に係る撮像装置の構成を示す背面図である。
【図３】本実施の形態に係る撮像装置の内部構成を示すブロック図である。
【図４】本実施の形態に係る撮像装置にて、設定可能なメニュー項目の例を示した図である。
【図５】本実施の形態に係る撮像装置にて、撮影者がメニュー項目を順次設定変更する時の表示、手順についての説明図である。
【図６】本実施の形態に係る撮像装置にて、撮影者がメニュー項目を設定内容毎に表示を切り換えて設定変更する時の表示、手順についての説明図である。
【符号の説明】
【００６６】
１  カメラ本体
１７  ＵＰボタン
１８  ＤＯＷＮボタン
２０  ＬＣＤモニター装置（液晶表示器）
２２  メニューボタン
２３  選択ボタン
１００  固体撮像素子
１１７  ＣＰＵ
１２９  ＵＰボタンＳＷ
１３０  ＤＯＷＮボタンＳＷ
１３１  メニューＳＷ
１３２  ＳＥＬＥＣＴ（選択）ＳＷ
【図１】
2006109331.tif 000004
【図２】
2006109331.tif 000005
【図３】
2006109331.tif 000006
【図４】
2006109331.tif 000007
【図５】
2006109331.tif 000008
【図６】
2006109331.tif 000009